(57)【要約】【課題】光ピックアップ装置および光ディスク装置における二つの対物レンズの角度差を少なく抑える。【解決手段】基準となる第一対物レンズ３１と、第一対物レンズ３１に並設される第二対物レンズと、第一対物レンズ３１および第二対物レンズが取り付けられるレンズホルダ５ｉとを備える光ピックアップ装置１ｉおよびこの光ピックアップ装置１ｉを備える光ディスク装置に関する。第一対物レンズ３１に対し、第二対物レンズは、角度調整が行われてレンズホルダ５ｉに取り付けられる。第一対物レンズ３１の光軸と、第二対物レンズの光軸とが略平行に調整されて、レンズホルダ５ｉに、第一対物レンズ３１と、第二対物レンズとが取り付けられることにより、第一対物レンズ３１に対する第二対物レンズの角度差を少なく抑えることができる。【選択図】図１
2011222118.tif 000002
【特許請求の範囲】
【請求項１】
基準となる第一対物レンズと、
該第一対物レンズに並設される第二対物レンズと、
該第一対物レンズおよび該第二対物レンズが取り付けられるレンズホルダとを備え、
該第一対物レンズに対し、該第二対物レンズは、角度調整が行われて該レンズホルダに取り付けられた
ことを特徴とする光ピックアップ装置。
【請求項２】
前記第一対物レンズの光軸と、
前記第二対物レンズの光軸とが略平行に調整されて、
前記レンズホルダに、該第一対物レンズと、該第二対物レンズとが取り付けられた
ことを特徴とする請求項１に記載の光ピックアップ装置。
【請求項３】
前記レンズホルダは、
前記第一対物レンズが取り付けられる第一レンズ装着部と、
前記第二対物レンズが取り付けられる第二レンズ装着部とを備え、
該第一レンズ装着部に、該第一対物レンズの取付部が合わせられる基準部が設けられ、
該第二レンズ装着部に、該第二対物レンズの取付部が角度調整可能に合わせられる調整部が設けられた
ことを特徴とする請求項１又は２に記載の光ピックアップ装置。
【請求項４】
前記調整部は、前記第二対物レンズの角度調整を可能とさせる球座部を備える
ことを特徴とする請求項３に記載の光ピックアップ装置。
【請求項５】
前記球座部に、前記第二対物レンズの前記取付部の周縁端部が接する
ことを特徴とする請求項４に記載の光ピックアップ装置。
【請求項６】
略平面状の前記基準部に対し、前記第二対物レンズに形成された略平面状の基準面部が０〜３°の角度とされて、前記球座部に該第二対物レンズが備えられた
ことを特徴とする請求項４又は５に記載の光ピックアップ装置。
【請求項７】
前記調整部は、前記第二対物レンズの角度調整を可能とさせる斜面部を備える
ことを特徴とする請求項３に記載の光ピックアップ装置。
【請求項８】
前記調整部は、
前記第二対物レンズの角度調整を可能とさせる一対の斜面部と、
一対の該斜面部の間に設けられた頂部とを備える
ことを特徴とする請求項３に記載の光ピックアップ装置。
【請求項９】
前記頂部に、前記第二対物レンズの前記取付部が接する
ことを特徴とする請求項８に記載の光ピックアップ装置。
【請求項１０】
略平面状の前記基準部に対し、一対の略平面状の前記斜面部は、０°を超え３°以下の角度に傾けられて、前記頂部の角度は、鈍角とされた
ことを特徴とする請求項８又は９に記載の光ピックアップ装置。
【請求項１１】
前記第一対物レンズまたは前記第二対物レンズを透過した光が照射される光ディスクのトラック方向またはピット方向をタンジェンシャル方向と定めたときに、
前記斜面部は、該第二対物レンズの光軸を該タンジェンシャル方向に沿って調整可能な傾斜面部として形成された
ことを特徴とする請求項７〜１０の何れか１項に記載の光ピックアップ装置。
【請求項１２】
前記第一対物レンズまたは前記第二対物レンズを透過した光が照射される光ディスクの径方向をラジアル方向と定めたときに、
前記斜面部は、該第二対物レンズの光軸を該ラジアル方向に沿って調整可能な傾斜面部として形成された
ことを特徴とする請求項７〜１０の何れか１項に記載の光ピックアップ装置。
【請求項１３】
請求項１〜１２の何れか１項に記載の光ピックアップ装置を備える
ことを特徴とする光ディスク装置。
【発明の詳細な説明】
【技術分野】
【０００１】
本発明は、光ディスクに記録されたデータを再生させることや、光ディスクにデータを記録させることが可能な光ピックアップ装置および光ディスク装置に関するものである。
【背景技術】
【０００２】
近年、光ピックアップ装置（図示せず）いわゆる光学ヘッドのレンズホルダに、二つの対物レンズを装備させたものが提案されている（例えば、特許文献１参照。）。
【先行技術文献】
【特許文献】
【０００３】
【特許文献１】特開平９−１２０５７３号公報（第２頁、第１−３図）
【発明の概要】
【発明が解決しようとする課題】
【０００４】
しかしながら、従来の対物レンズ付レンズホルダを備えた光ピックアップ装置にあっては、二つの対物レンズの角度ずれが問題とされていた。対物レンズがレンズホルダに二個搭載されるモデルの光ピックアップ装置においては、一方の対物レンズに対し、他方の対物レンズの角度がずらされて、二個の対物レンズがレンズホルダに取り付けられることが懸念されていた。
【０００５】
二つの対物レンズが搭載されるアクチュエータにおいて、二つの対物レンズの角度調整が行われることなく、レンズホルダにそのまま二つの対物レンズが取り付けられた場合、各対物レンズの取付状況によっては、それぞれの対物レンズに角度差が生じる。
【０００６】
そのようなアクチュエータを備えた光ピックアップ装置が組み立てられ、例えば、この光ピックアップ装置が光ディスク装置などに組み付けられた完成状態において、光ディスク装置に光ディスクが挿入されて光ディスク装置が使用されると、光ディスクに対し、光ピックアップ装置の対物レンズに相対スキューが生じる。スキュー（skew）とは、「歪み」や「曲り」を意味する。光ピックアップ装置の対物レンズに相対スキューが生じると、光ピックアップ装置が正常に作動されないということが問題とされていた。
【０００７】
本発明は、上記した問題点を解決することにある。本発明は、上記した点に鑑み、二つの対物レンズの角度差が少なく抑えられた光ピックアップ装置および光ディスク装置を提供することを目的とする。
【課題を解決するための手段】
【０００８】
上記目的を達成するために、本発明の請求項１に係る光ピックアップ装置は、基準となる第一対物レンズと、該第一対物レンズに並設される第二対物レンズと、該第一対物レンズおよび該第二対物レンズが取り付けられるレンズホルダとを備え、該第一対物レンズに対し、該第二対物レンズは、角度調整が行われて該レンズホルダに取り付けられたことを特徴とする。
【０００９】
上記構成により、第二対物レンズは、第一対物レンズに対して精度よく角度調整が行われて、レンズホルダに取り付けられる。基準となる第一対物レンズに対し、第二対物レンズは、角度調整が行われてレンズホルダに取り付けられるので、第一対物レンズに対する第二対物レンズの角度差は、少なく抑えられる。従って、レンズホルダに第一対物レンズおよび第二対物レンズが精度よく取り付けられて構成された光ピックアップ装置の提供が可能となる。
【００１０】
請求項２に係る光ピックアップ装置は、請求項１に記載の光ピックアップ装置において、前記第一対物レンズの光軸と、前記第二対物レンズの光軸とが略平行に調整されて、前記レンズホルダに、該第一対物レンズと、該第二対物レンズとが取り付けられたことを特徴とする。
【００１１】
上記構成により、第一対物レンズの光軸に対する第二対物レンズの光軸の角度差は、少なく抑えられる。レンズホルダに取り付けられた第一対物レンズの光軸に対し、第二対物レンズの光軸が略平行となるように調整されて、レンズホルダに第二対物レンズが取り付けられるので、精度よく第一対物レンズおよび第二対物レンズがレンズホルダに取り付けられて構成された光ピックアップ装置を提供することが可能となる。
【００１２】
請求項３に係る光ピックアップ装置は、請求項１又は２に記載の光ピックアップ装置において、前記レンズホルダは、前記第一対物レンズが取り付けられる第一レンズ装着部と、前記第二対物レンズが取り付けられる第二レンズ装着部とを備え、該第一レンズ装着部に、該第一対物レンズの取付部が合わせられる基準部が設けられ、該第二レンズ装着部に、該第二対物レンズの取付部が角度調整可能に合わせられる調整部が設けられたことを特徴とする。
【００１３】
上記構成により、第一対物レンズおよび第二対物レンズは、精度よくレンズホルダに取り付けられる。レンズホルダの第一レンズ装着部の基準部に、第一対物レンズの取付部が合わせられることにより、第一対物レンズは、レンズホルダに精度よく取り付けられる。また、レンズホルダの第二レンズ装着部の調整部に、第二対物レンズの取付部が合わせられて、第一対物レンズに対する第二対物レンズの角度調整が行われることにより、第二対物レンズは、レンズホルダに精度よく取り付けられる。従って、レンズホルダに対する第一対物レンズおよび第二対物レンズの取付は、精度よく行われる。
【００１４】
請求項４に係る光ピックアップ装置は、請求項３に記載の光ピックアップ装置において、前記調整部は、前記第二対物レンズの角度調整を可能とさせる球座部を備えることを特徴とする。
【００１５】
上記構成により、第一対物レンズに対する第二対物レンズの角度調整は、精度よく行われる。第二対物レンズが取り付けられるレンズホルダの第二レンズ装着部の調整部に球座部が設けられているので、レンズホルダの第二レンズ装着部の球座部上にて、第二対物レンズの角度は自在に調整される。
【００１６】
請求項５に係る光ピックアップ装置は、請求項４に記載の光ピックアップ装置において、前記球座部に、前記第二対物レンズの前記取付部の周縁端部が接することを特徴とする。
【００１７】
上記構成により、第一対物レンズに対する第二対物レンズの角度調整は、精度よく行われる。レンズホルダの第二レンズ装着部の調整部に設けられた球座部に、第二対物レンズの取付部の周縁端部が接した状態で、第二対物レンズの角度調整が行われる。第二対物レンズは、レンズホルダの第二レンズ装着部の調整部に設けられた球座部上において、自在に角度調整される。従って、第一対物レンズに対する第二対物レンズの角度調整が精度よく行われる。
【００１８】
請求項６に係る光ピックアップ装置は、請求項４又は５に記載の光ピックアップ装置において、略平面状の前記基準部に対し、前記第二対物レンズに形成された略平面状の基準面部が０〜３°の角度とされて、前記球座部に該第二対物レンズが備えられたことを特徴とする。
【００１９】
上記構成により、第一対物レンズに対する第二対物レンズの角度調整は、精度よく容易に行われる。レンズホルダの第二レンズ装着部に設けられた調整部の球座部に、第二対物レンズが備えられて、レンズホルダの第一レンズ装着部に設けられた略平面状の基準部に対し、第二対物レンズに形成された略平面状の基準面部が０〜３°の角度に調整されて、第一対物レンズに対する第二対物レンズの角度調整が行われるので、第二対物レンズの角度調整が行われるときの微調整は、精度よく容易に行われる。
【００２０】
請求項７に係る光ピックアップ装置は、請求項３に記載の光ピックアップ装置において、前記調整部は、前記第二対物レンズの角度調整を可能とさせる斜面部を備えることを特徴とする。
【００２１】
上記構成により、第一対物レンズに対する第二対物レンズの角度調整は、容易に行われる。第二対物レンズが取り付けられるレンズホルダの第二レンズ装着部の調整部に斜面部が設けられているので、レンズホルダの第二レンズ装着部の斜面部上にて、第二対物レンズの角度は容易に調整される。
【００２２】
請求項８に係る光ピックアップ装置は、請求項３に記載の光ピックアップ装置において、前記調整部は、前記第二対物レンズの角度調整を可能とさせる一対の斜面部と、一対の該斜面部の間に設けられた頂部とを備えることを特徴とする。
【００２３】
上記構成により、第一対物レンズに対する第二対物レンズの角度調整は、容易に行われる。第二対物レンズが取り付けられるレンズホルダの第二レンズ装着部の調整部に、一対の斜面部が設けられると共に、一対の斜面部の間に頂部が設けられているので、レンズホルダの第二レンズ装着部における一対の斜面部および頂部上に第二対物レンズが備えられたのちに、第二対物レンズの角度調整が容易に行われる。第二対物レンズは、例えばシーソのように、レンズホルダの第二レンズ装着部の調整部に設けられた頂部を支点として、レンズホルダの第二レンズ装着部の調整部における一方の斜面部または他方の斜面部に向けて傾けられる。従って、第一対物レンズに対する第二対物レンズの角度調整は、容易に実行される。
【００２４】
請求項９に係る光ピックアップ装置は、請求項８に記載の光ピックアップ装置において、前記頂部に、前記第二対物レンズの前記取付部が接することを特徴とする。
【００２５】
上記構成により、第一対物レンズに対する第二対物レンズの角度調整は、容易に行われる。レンズホルダの第二レンズ装着部の調整部に設けられた頂部に、第二対物レンズの取付部が接した状態で、第二対物レンズの角度調整が行われる。第二対物レンズの取付部は、例えばシーソのように、レンズホルダの第二レンズ装着部の調整部に設けられた頂部を支点として、レンズホルダの第二レンズ装着部の調整部における一方の斜面部と、他方の斜面部との間で傾けられる。レンズホルダの第二レンズ装着部の調整部に設けられた頂部を支点として、第二対物レンズが傾けられることにより、第一対物レンズに対する第二対物レンズの角度調整が容易に実行される。
【００２６】
請求項１０に係る光ピックアップ装置は、請求項８又は９に記載の光ピックアップ装置において、略平面状の前記基準部に対し、一対の略平面状の前記斜面部は、０°を超え３°以下の角度に傾けられて、前記頂部の角度は、鈍角とされたことを特徴とする。
【００２７】
上記構成により、第一対物レンズに対する第二対物レンズの角度調整は、精度よく容易に行われる。レンズホルダの第二レンズ装着部の調整部に設けられた鈍角の頂部に、第二対物レンズの取付部が接した状態で、第二対物レンズの角度調整が行われる。鈍角とは、９０°よりも大きく１８０°よりも小さい角を意味する。レンズホルダの第一レンズ装着部に設けられた略平面状の基準部に対し、レンズホルダの第二レンズ装着部の調整部に設けられた一対の略平面状の斜面部が、０°を超え３°以下の角度に傾けられて、レンズホルダの第二レンズ装着部の調整部に設けられた頂部の角度が鈍角とされているので、第一対物レンズに対する第二対物レンズの角度調整が行われているときに、例えば、第二対物レンズの角度が大幅に狂い、第二対物レンズの角度調整が行われ難くなるという不具合の発生は回避される。第二対物レンズは、例えばシーソのように、レンズホルダの第二レンズ装着部の調整部に設けられた頂部を支点として、レンズホルダの第二レンズ装着部の調整部における一方の斜面部（例：−３°）と、他方の斜面部（例：＋３°）との間で精度よく傾けられる。従って、第二対物レンズの角度調整が行われるときの微調整は、精度よく容易に行われる。
【００２８】
請求項１１に係る光ピックアップ装置は、請求項７〜１０の何れか１項に記載の光ピックアップ装置において、前記第一対物レンズまたは前記第二対物レンズを透過した光が照射される光ディスクのトラック方向またはピット方向をタンジェンシャル方向と定めたときに、前記斜面部は、該第二対物レンズの光軸を該タンジェンシャル方向に沿って調整可能な傾斜面部として形成されたことを特徴とする。
【００２９】
上記構成により、第二対物レンズの光軸は、光ディスクのタンジェンシャル方向に沿って容易に調整される。レンズホルダの第二レンズ装着部の調整部に設けられた傾斜面部に第二対物レンズが合わされつつ、光ディスクのタンジェンシャル方向に沿った第二対物レンズの光軸角度調整が行われる。従って、第一対物レンズの光軸に対する第二対物レンズの光軸のタンジェンシャル方向に沿った角度調整は、容易に行われる。
【００３０】
請求項１２に係る光ピックアップ装置は、請求項７〜１０の何れか１項に記載の光ピックアップ装置において、前記第一対物レンズまたは前記第二対物レンズを透過した光が照射される光ディスクの径方向をラジアル方向と定めたときに、前記斜面部は、該第二対物レンズの光軸を該ラジアル方向に沿って調整可能な傾斜面部として形成されたことを特徴とする。
【００３１】
上記構成により、第二対物レンズの光軸は、光ディスクのラジアル方向に沿って容易に調整される。レンズホルダの第二レンズ装着部の調整部に設けられた傾斜面部に第二対物レンズが合わされつつ、光ディスクのラジアル方向に沿った第二対物レンズの光軸角度調整が行われる。従って、第一対物レンズの光軸に対する第二対物レンズの光軸のラジアル方向に沿った角度調整は、容易に行われる。
【００３２】
請求項１３に係る光ディスク装置は、請求項１〜１２の何れか１項に記載の光ピックアップ装置を備えることを特徴とする。
【００３３】
上記構成により、レンズホルダに第一対物レンズおよび第二対物レンズが精度よく取り付けられて構成された光ピックアップ装置付の光ディスク装置を提供することが可能となる。光ディスク装置に各光ディスクが挿入されて、光ディスクのデータが読み出されたり、光ディスクにデータが書き込まれたりされるときに、第一対物レンズに対する第二対物レンズの角度差を少なく抑えた光ピックアップ装置が、光ディスク装置に装備されるので、各光ディスクからのデータの読出しや、各光ディスクに対するデータの書込みは、光ピックアップ装置を備える光ディスク装置にて正常に行われることとなる。
【発明の効果】
【００３４】
以上の如く、請求項１に記載の発明によれば、第二対物レンズは、第一対物レンズに対して精度よく角度調整が行われて、レンズホルダに取り付けられる。基準となる第一対物レンズに対し、第二対物レンズは、角度調整が行われてレンズホルダに取り付けられるので、第一対物レンズに対する第二対物レンズの角度差は、少なく抑えられる。従って、レンズホルダに第一対物レンズおよび第二対物レンズが精度よく取り付けられて構成された光ピックアップ装置を提供することができる。
【００３５】
請求項２に記載の発明によれば、第一対物レンズの光軸に対する第二対物レンズの光軸の角度差は、少なく抑えられる。レンズホルダに取り付けられた第一対物レンズの光軸に対し、第二対物レンズの光軸が略平行となるように調整されて、レンズホルダに第二対物レンズが取り付けられるので、精度よく第一対物レンズおよび第二対物レンズがレンズホルダに取り付けられて構成された光ピックアップ装置を提供することができる。
【００３６】
請求項３に記載の発明によれば、第一対物レンズおよび第二対物レンズは、精度よくレンズホルダに取り付けられる。レンズホルダの第一レンズ装着部の基準部に、第一対物レンズの取付部が合わせられることにより、第一対物レンズは、レンズホルダに精度よく取り付けられる。また、レンズホルダの第二レンズ装着部の調整部に、第二対物レンズの取付部が合わせられて、第一対物レンズに対する第二対物レンズの角度調整が行われることにより、第二対物レンズは、レンズホルダに精度よく取り付けられる。従って、レンズホルダに対する第一対物レンズおよび第二対物レンズの取付を精度よく行うことができる。
【００３７】
請求項４に記載の発明によれば、第一対物レンズに対する第二対物レンズの角度調整は、精度よく行われる。第二対物レンズが取り付けられるレンズホルダの第二レンズ装着部の調整部に球座部が設けられているので、レンズホルダの第二レンズ装着部の球座部上にて、第二対物レンズの角度を自在に調整することができる。
【００３８】
請求項５に記載の発明によれば、第一対物レンズに対する第二対物レンズの角度調整は、精度よく行われる。レンズホルダの第二レンズ装着部の調整部に設けられた球座部に、第二対物レンズの取付部の周縁端部が接した状態で、第二対物レンズの角度調整が行われる。第二対物レンズは、レンズホルダの第二レンズ装着部の調整部に設けられた球座部上において、自在に角度調整される。従って、第一対物レンズに対する第二対物レンズの角度調整を精度よく行うことができる。
【００３９】
請求項６に記載の発明によれば、第一対物レンズに対する第二対物レンズの角度調整は、精度よく容易に行われる。レンズホルダの第二レンズ装着部に設けられた調整部の球座部に、第二対物レンズが備えられて、レンズホルダの第一レンズ装着部に設けられた略平面状の基準部に対し、第二対物レンズに形成された略平面状の基準面部が０〜３°の角度に調整されて、第一対物レンズに対する第二対物レンズの角度調整が行われるので、第二対物レンズの角度調整が行われるときの微調整を精度よく容易に行うことができる。
【００４０】
請求項７に記載の発明によれば、第一対物レンズに対する第二対物レンズの角度調整は、容易に行われる。第二対物レンズが取り付けられるレンズホルダの第二レンズ装着部の調整部に斜面部が設けられているので、レンズホルダの第二レンズ装着部の斜面部上にて、第二対物レンズの角度を容易に調整することができる。
【００４１】
請求項８に記載の発明によれば、第一対物レンズに対する第二対物レンズの角度調整は、容易に行われる。第二対物レンズが取り付けられるレンズホルダの第二レンズ装着部の調整部に、一対の斜面部が設けられると共に、一対の斜面部の間に頂部が設けられているので、レンズホルダの第二レンズ装着部における一対の斜面部および頂部上に第二対物レンズが備えられたのちに、第二対物レンズの角度調整が容易に行われる。第二対物レンズは、例えばシーソのように、レンズホルダの第二レンズ装着部の調整部に設けられた頂部を支点として、レンズホルダの第二レンズ装着部の調整部における一方の斜面部または他方の斜面部に向けて傾けられる。従って、第一対物レンズに対する第二対物レンズの角度調整を容易に実行することができる。
【００４２】
請求項９に記載の発明によれば、第一対物レンズに対する第二対物レンズの角度調整は、容易に行われる。レンズホルダの第二レンズ装着部の調整部に設けられた頂部に、第二対物レンズの取付部が接した状態で、第二対物レンズの角度調整が行われる。第二対物レンズの取付部は、例えばシーソのように、レンズホルダの第二レンズ装着部の調整部に設けられた頂部を支点として、レンズホルダの第二レンズ装着部の調整部における一方の斜面部と、他方の斜面部との間で傾けられる。レンズホルダの第二レンズ装着部の調整部に設けられた頂部を支点として、第二対物レンズが傾けられることにより、第一対物レンズに対する第二対物レンズの角度調整を容易に実行することができる。
【００４３】
請求項１０に記載の発明によれば、第一対物レンズに対する第二対物レンズの角度調整は、精度よく容易に行われる。レンズホルダの第二レンズ装着部の調整部に設けられた鈍角の頂部に、第二対物レンズの取付部が接した状態で、第二対物レンズの角度調整が行われる。レンズホルダの第一レンズ装着部に設けられた略平面状の基準部に対し、レンズホルダの第二レンズ装着部の調整部に設けられた一対の略平面状の斜面部が、０°を超え３°以下の角度に傾けられて、レンズホルダの第二レンズ装着部の調整部に設けられた頂部の角度が鈍角とされているので、第一対物レンズに対する第二対物レンズの角度調整が行われているときに、例えば、第二対物レンズの角度が大幅に狂い、第二対物レンズの角度調整が行われ難くなるという不具合の発生は回避される。第二対物レンズは、例えばシーソのように、レンズホルダの第二レンズ装着部の調整部に設けられた頂部を支点として、レンズホルダの第二レンズ装着部の調整部における一方の斜面部（例：−３°）と、他方の斜面部（例：＋３°）との間で精度よく傾けられる。従って、第二対物レンズの角度調整が行われるときの微調整を精度よく容易に行うことができる。
【００４４】
請求項１１に記載の発明によれば、第二対物レンズの光軸は、光ディスクのタンジェンシャル方向に沿って容易に調整される。レンズホルダの第二レンズ装着部の調整部に設けられた傾斜面部に第二対物レンズが合わされつつ、光ディスクのタンジェンシャル方向に沿った第二対物レンズの光軸角度調整が行われる。従って、第一対物レンズの光軸に対する第二対物レンズの光軸のタンジェンシャル方向に沿った角度調整を容易に行うことができる。
【００４５】
請求項１２に記載の発明によれば、第二対物レンズの光軸は、光ディスクのラジアル方向に沿って容易に調整される。レンズホルダの第二レンズ装着部の調整部に設けられた傾斜面部に第二対物レンズが合わされつつ、光ディスクのラジアル方向に沿った第二対物レンズの光軸角度調整が行われる。従って、第一対物レンズの光軸に対する第二対物レンズの光軸のラジアル方向に沿った角度調整を容易に行うことができる。
【００４６】
請求項１３に記載の発明によれば、レンズホルダに第一対物レンズおよび第二対物レンズが精度よく取り付けられて構成された光ピックアップ装置付の光ディスク装置を提供することができる。光ディスク装置に各光ディスクが挿入されて、光ディスクのデータが読み出されたり、光ディスクにデータが書き込まれたりされるときに、第一対物レンズに対する第二対物レンズの角度差を少なく抑えた光ピックアップ装置が、光ディスク装置に装備されるので、各光ディスクからのデータの読出しや、各光ディスクに対するデータの書込みは、光ピックアップ装置を備える光ディスク装置にて正常に行われる。
【図面の簡単な説明】
【００４７】
【図１】本発明に係る光ピックアップ装置の第一の実施形態を示す斜視図である。
【図２】図１のＡ−Ａ断面図である。
【図３】光ピックアップ装置に備えられる各対物レンズを示す斜視図である。
【図４】本発明に係る光ピックアップ装置の第二の実施形態を示す斜視図である。
【図５】図４のＢ−Ｂ断面図である。
【図６】光ピックアップ装置のレンズホルダの第二レンズ装着部を示す拡大断面図である。
【発明を実施するための形態】
【００４８】
以下に本発明に係る光ピックアップ装置の実施形態を図面に基づいて詳細に説明する。
【実施例１】
【００４９】
図１は、本発明に係る光ピックアップ装置の第一の実施形態を示す斜視図、図２は、図１のＡ−Ａ断面図、図３は、光ピックアップ装置に備えられる各対物レンズを示す斜視図である。
【００５０】
図示されたものの各方向について説明すると、コイル４３からコイル４４にかけた方向もしくはコイル４４からコイル４３にかけた方向、又は、コイル４５からコイル４６にかけた方向もしくはコイル４６からコイル４５にかけた方向を、レンズホルダ５ｉの前後方向Ｄｒまたは光ピックアップ装置１ｉの前後方向Ｄｒとする。この方向Ｄｒを、便宜上、第一方向Ｄｒと定める。
【００５１】
また、レンズホルダ５ｉに各対物レンズ３１，３２が取り付けられる側を、レンズホルダ５ｉの上側または光ピックアップ装置１ｉの上側とする。また、各対物レンズ３１，３２が取り付けられる側の反対側を、レンズホルダ５ｉの下側または光ピックアップ装置１ｉの下側とする。レンズホルダ５ｉの上側部５ｃから下側部５ｄにかけた方向もしくはレンズホルダ５ｉの下側部５ｄから上側部５ｃにかけた方向を、レンズホルダ５ｉの上下方向Ｄａまたは光ピックアップ装置１ｉの上下方向Ｄａとする。この方向Ｄａを、便宜上、第二方向Ｄａと定める。
【００５２】
また、コイル４１からコイル４２にかけた方向もしくはコイル４２からコイル４１にかけた方向を、レンズホルダ５ｉの左右方向Ｄｔまたは光ピックアップ装置１ｉの左右方向Ｄｔとする。この方向Ｄｔを、便宜上、第三方向Ｄｔと定める。
【００５３】
なお、この明細書における「前」、「後」、「上」、「下」、「左」、「右」の定義は、光ピックアップ装置１ｉおよび光ディスク装置（図示せず）を説明するために、便宜上、定められたものとされる。
【００５４】
この光ピックアップ装置１ｉ（図１，図２）は、基準となる第一対物レンズ３１（図１〜図３）と、第一対物レンズ３１に並設される第二対物レンズ３２（図３）と、電流が流されて通電状態とされたときに電磁力を発生するコイル４１，４２，４３，４４，４５，４６（図１）と、コイル４１，４２，４３，４４，４５，４６に通電可能に接続されるサスペンションワイヤ（図示せず）と、第一対物レンズ３１と、第二対物レンズ３２と、各コイル４１，４２，４３，４４，４５，４６と、サスペンションワイヤとが取り付けられるレンズホルダ５ｉ（図１，図２）と、サスペンションワイヤが通電可能に接続される回路基板（図示せず）とを備える。
【００５５】
光ピックアップ（optical pickup）は、一般に「ＯＰＵ」と略称される。また、「optical pickup unit」が「ＯＰＵ」と略称されて用いられることもある。ここでは、便宜上、光ピックアップ装置をＯＰＵと略称して用いる。
【００５６】
また、対物レンズ（objective lens）は、「ＯＢＬ」と略称して用いられている。ＯＢＬ３１（図１〜図３）又は３２（図３）は、各発光素子（図示せず）から出射されたレーザ光を光ディスクの信号部へ集光させる役割を果たす。ＯＢＬ３１，３２は、例えば、略無色透明なガラス材料が用いられて形成される。又は、ＯＢＬ３１，３２は、例えば、略無色透明な合成樹脂材料が用いられ、大量生産性に優れる射出成形法に基づいて形成される。
【００５７】
ＯＰＵ１ｉ（図１，図２）を構成するレンズホルダ５ｉは、複数のＯＢＬ３１，３２が装着される第一ピース１０ｉと、第一ピース１０ｉの下側に装着される第二ピース２０とを備えて構成されている。
【００５８】
また、コイル４１が備えられるコイル装着部１１が、レンズホルダ５ｉの本体５ｂの側面部５ｅから本体５ｂの外側に向けて凸設されている。また、コイル４２が備えられるコイル装着部１２が、レンズホルダ５ｉの本体５ｂの側面部５ｅから本体５ｂの外側に向けて凸設されている。第一方向駆動用コイル４１，４２が巻回される第一コイル装着部１１，１２が、レンズホルダ５ｉを構成する第一ピース１０ｉの側面部５ｅに一対ほど突出形成されている。
【００５９】
また、コイル４３（図１）が備えられるコイル装着部２３が、レンズホルダ５ｉを構成する骨組部５ｆ（図２）から骨組部５ｆの外側に向けて凸設されている（図１）。また、コイル４４が備えられるコイル装着部２４が、レンズホルダ５ｉを構成する骨組部５ｆ（図２）から骨組部５ｆの外側に向けて凸設されている（図１）。また、コイル４５が備えられるコイル装着部２５が、レンズホルダ５ｉを構成する骨組部５ｆ（図２）から骨組部５ｆの外側に向けて凸設されている（図１）。また、コイル４６が備えられるコイル装着部２６が、レンズホルダ５ｉを構成する骨組部５ｆ（図２）から骨組部５ｆの外側に向けて凸設されている（図１）。第二方向駆動用コイル４３，４４，４５，４６が巻回される第二コイル装着部２３，２４，２５，２６が、レンズホルダ５ｉを構成する第二ピース２０の骨組部５ｆに二対ほど突出形成されている。
【００６０】
また、レンズホルダ５ｉ（図１，図２）を構成する第一ピース１０ｉおよび第二ピース２０は、レンズホルダ５ｉを軽量化させると共に成形性に優れる合成樹脂材料が用いられて、大量生産性に優れる射出成形法に基づき形成されている。レンズホルダ５ｉを構成する第一ピース１０ｉおよび第二ピース２０は、コイル４１，４２，４３，４４，４５，４６に流される電流を絶縁させるために、絶縁性に優れる合成樹脂材料が用いられて形成されている。各コイル４１，４２，４３，４４，４５，４６が装備されるレンズホルダ５ｉは、絶縁性に優れる合成樹脂材料が用いられて形成される。レンズホルダ５ｉは、金属材料よりも比重が小さく軽量化に適した合成樹脂材料が用いられて形成されている。詳しく説明すると、レンズホルダ５ｉを構成する第一ピース１０ｉおよび第二ピース２０は、液晶ポリマなどの成形性に優れる耐熱性の熱可塑性合成樹脂が用いられて、大量生産性に優れる射出成形法に基づいて形成されている。
【００６１】
レンズホルダ５ｉを構成する第一ピース１０ｉおよび第二ピース２０は、例えば、薄肉成形性に優れると共に半田付け等が行われるときの耐熱性に優れ、また射出成形性に優れ、さらに鉄材などよりも軽量化が可能とされる液晶ポリマ（ＬＣＰ：liquid crystal polymer）が用いられて形成される。耐熱性に優れるタイプＩの液晶ポリマとして、例えば、住友化学社製：スミカスーパー（登録商標）等が挙げられる。また、スミカスーパー（登録商標）の商品として、例えば、Ｅ５００８Ｌ，Ｅ６００８等が挙げられる。また、タイプIIの液晶ポリマとして、例えば、ポリプラスチックス社製：ベクトラ（登録商標）等が挙げられる。また、ベクトラ（登録商標）の商品として、例えば、グレードＡ４１０，Ｓ４７１等が挙げられる。
【００６２】
複雑な形状のレンズホルダ５ｉとされていても、レンズホルダ５ｉが、第一ピース１０ｉと、第一ピース１０ｉに組み付けられる第二ピース２０との二部材に分けられることにより、レンズホルダ５ｉは、射出成形法に基づいて容易に製造される。
【００６３】
図１および図２においては、レンズホルダ５ｉは、第一ピース１０ｉと、第二ピース２０との二つのものを備えた二構造のものとして構成されているが、ＯＰＵ１ｉの設計／仕様などにより、例えば、２ピース構造とされることなく単一部材のレンズホルダ（５ｉ）とされたものも使用可能とされる。なお、この明細書において、符号に付けられた括弧（  ）は、図示されたものと若干異なる形状のもの等を説明するために、便宜上、用いられている。
【００６４】
レンズホルダ５ｉ（図１）の各コイル装着部１１，１２，２３，２４，２５，２６に、例えば、導線などの細径の電線が直に巻かれることで、各コイル４１，４２，４３，４４，４５，４６が構成される。一対の第一方向駆動用コイル４１，４２がレンズホルダ５ｉを構成する第一ピース１０ｉに装着される。また、二対の第二方向駆動用コイル４３，４４，４５，４６がレンズホルダ５ｉを構成する第二ピース２０に装着される。導線などの電線が巻回されることにより構成されたコイル４１，４２，４３，４４，４５，４６は、例えば、二層巻タイプのコイル４１，４２，４３，４４，４５，４６として構成される。
【００６５】
コイル４１，４２，４３，４４，４５，４６は、例えば、治工具（図示せず）などが用いられて細径の線状導体がコイル装着部１１，１２，２３，２４，２５，２６に巻回されることにより構成される。導体として、例えば、軽量化が図られるエナメル銅クラッドアルミ線などの細径のエナメル材被覆電線が用いられる。また、エナメル材として、例えばＢ種はんだ付けエナメル樹脂などが挙げられる。エナメル材が被覆された細径線状導体の巻回作業が行われることにより、例えば、二層巻タイプのコイル４１，４２，４３，４４，４５，４６が構成される。
【００６６】
なお、ＯＰＵ１ｉの設計／仕様などにより、図１に示すコイル４１，４２，４３，４４，４５，４６に代えて、他の形態のコイル（図示せず）が用いられてもよい。例えば、コイル（４１，４２，４３，４４，４５，４６）として、一層巻されたコイル（４１，４２，４３，４４，４５，４６）が用いられてもよい。また、例えば、コイル（４１，４２，４３，４４，４５，４６）として、ガラス層部や、エポキシ樹脂層部などの樹脂層部などを備える基板に、回路導体が鍍金処理されて構成されたコイルが用いられてもよい（何れも図示せず）。例えば、コイルとして、プリントコイルが用いられてもよい。
【００６７】
サスペンションワイヤとして、弾性支持特性に優れると共に細径の導体とされる電線に例えば鍍金処理されたもの等が用いられる。金属製サスペンションワイヤは、レンズホルダ５ｉ（図１）の第一ピース１０ｉに突出形成されたワイヤ装着部５ｖのワイヤ取付孔５ｗに挿通され、コイル４１，４２，４３，４４，４５，４６の一端部に半田接続されて、レンズホルダ５ｉに取り付けられる。そのときに、一対のワイヤ装着部５ｖ，５ｖの各ワイヤ取付孔５ｗに各サスペンションワイヤが挿通された状態で、ワイヤ取付孔５ｗに下記電子線硬化型接着剤などの接着剤が塗布され、電子線硬化型接着剤などの接着剤が固化することにより、レンズホルダ５ｉに各サスペンションワイヤが固定される。接着剤として、例えば、レンズホルダ５ｉを構成する第一ピース１０ｉに第一ＯＢＬ３１および第二ＯＢＬ３２（図３）を固着させる接着剤と同じ種類の接着剤を用いる。各ＯＢＬ３１，３２が装着されたレンズホルダ５ｉ（図１）は、複数の金属製サスペンションワイヤによって、移動可能に弾性支持される。
【００６８】
また、各金属製サスペンションワイヤは、回路導体が設けられた回路基板に通電可能に接続されて取り付けられる（何れも図示せず）。回路基板の基板本体（図示せず）は、絶縁性に優れる合成樹脂材料が用いられて形成されている。例えば、合成樹脂製の基板本体の上に、金属製の回路導体が形成され、その上に、絶縁被膜が設けられて、回路基板が構成される（何れも図示せず）。回路基板は、例えば、ＰＷＢ（printed wired board / printed wiring board）等と呼ばれている。
【００６９】
光ディスク装置（図示せず）に内装されたＯＰＵ１ｉが用いられて、光ディスク（図示せず）における情報などのデータの再生または記録が行われる。光ディスクとして、例えば、ＣＤ系列の光ディスクや、ＤＶＤ系列の光ディスクなどが挙げられる（何れも図示せず）。「ＣＤ」は、「Compact Disc」（商標）の略称である。また、「ＤＶＤ」は「Digital Versatile Disc」（登録商標）の略称である。
【００７０】
光ディスクについて詳しく説明すると、光ディスクとして、例えば「ＣＤ−ＲＯＭ」，「ＤＶＤ−ＲＯＭ」などのデータ読出し専用の光ディスクや、「ＣＤ−Ｒ」，「ＤＶＤ−Ｒ」，「ＤＶＤ＋Ｒ」などのデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ」（登録商標），「Blu-ray Disc」（登録商標）などのデータ書込み／消去やデータ書換え可能なタイプの光ディスクなどが挙げられる。
【００７１】
「ＣＤ−ＲＯＭ」若しくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ／情報読出し専用のものである。また「ＣＤ−Ｒ」又は「ＤＶＤ−Ｒ」若しくは「ＤＶＤ＋Ｒ」の「Ｒ」は、「Recordable」の略称である。「ＣＤ−Ｒ」又は「ＤＶＤ−Ｒ」若しくは「ＤＶＤ＋Ｒ」は、データ／情報の書込みが可能なものである。また「ＣＤ−ＲＷ」又は「ＤＶＤ−ＲＷ」若しくは「ＤＶＤ＋ＲＷ」の「ＲＷ」は、「Re-Writable」の略称である。「ＣＤ−ＲＷ」又は「ＤＶＤ−ＲＷ」若しくは「ＤＶＤ＋ＲＷ」は、データ／情報の書換えが可能なものである。また「ＤＶＤ−ＲＡＭ」は、「Digital Versatile Disc Random Access Memory」の略称である。「ＤＶＤ−ＲＡＭ」は、データ／情報の読み書き／消去が可能なものである。
【００７２】
また「ＨＤ  ＤＶＤ」は「High Definition DVD」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤには、赤外レーザが用いられていた。また、従来のＤＶＤには、赤色レーザが用いられていた。しかしながら、「ＨＤ  ＤＶＤ」の光ディスクに記録されたデータ／情報が読み出されるときには、青紫色レーザが用いられる。また「Blu-ray」とは、従来の信号の読み書きに用いられていた赤色のレーザに対し、高密度記録が実現されるために採用された青紫色のレーザを意味する。
【００７３】
また、光ディスクとして、例えばディスク両面に信号面が設けられ、データ書込み／消去やデータ書換えが可能とされた光ディスク（図示せず）等も挙げられる。また、光ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ−ＤＶＤ」用光ディスク（図示せず）等も挙げられる。また、例えば四層の信号面が設けられ、データ書込み／消去やデータ書換えが可能とされた「Blu-ray Disc」用光ディスク（図示せず）等も挙げられる。また、ディスクのレーベル面側にもレーザ光を照射させてレーベル等の各種書込みが可能とされた光ディスク（図示せず）等も挙げられる。
【００７４】
ＯＰＵ１ｉは、前記各種光ディスクに記録されたデータを再生させたり、前記書込み可能もしくは書換え可能な各種光ディスクにデータを記録させたりするときに用いられる。ＯＰＵ１ｉは、ＣＤ系の光ディスクや、ＤＶＤ系の光ディスク等に対応する。このＯＰＵ１ｉは、複数の光ディスクに対応可能なものとされている。
【００７５】
また、ＯＰＵ１ｉは、第一波長レーザ光と、第一波長レーザ光と異なる波長光の第二波長レーザ光と、第一波長レーザ光および第二波長レーザ光と異なる波長光の第三波長レーザ光との三波長に対応したものとされている。第一波長レーザ光は、例えば波長が約３９０〜４２０ｎｍ（ナノメータ）、基準とされる波長が略４０５ｎｍの「ＨＤ  ＤＶＤ」用および「Blu-ray Disc」用の青紫色レーザ光とされている。また、第二波長レーザ光は、例えば波長が約６３０〜６８５ｎｍ、基準とされる波長が略６３５ｎｍまたは６５０ｎｍのＤＶＤ用の赤色レーザ光とされている。また、第三波長レーザ光は、例えば波長が約７７０〜８３０ｎｍ、基準とされる波長が略７８０ｎｍのＣＤ用の赤外レーザ光とされている。
【００７６】
第一ＯＢＬ３１は、例えば、第一波長レーザ光に対応した「Blu-ray Disc」専用のものとされている。第一ＯＢＬ３１の開口数は、略０．８５とされている。開口数とは、光学器械でＯＢＬの有効半径（入射ひとみの半径）を物点から見る角の正弦と、入射側の媒質の屈折率との積をいう。開口数は、ＯＢＬの性能を表すときに用いられる。開口数（Numerical Aperture）は、「ＮＡ」と省略されて用いられている。
【００７７】
第二ＯＢＬ３２は、例えば、「ＨＤ  ＤＶＤ」用の第一波長レーザ光と、「ＤＶＤ」用の第二波長レーザ光と、「ＣＤ」用の第三波長レーザ光との三種類のレーザ光に対応したものとされている。第二ＯＢＬ３２の開口数は、略０．６とされている。第二ＯＢＬ３２を透過するレーザ光の光路に、開口制限付広帯域１／４波長板（図示せず）が設けられ、この開口制限付広帯域１／４波長板により、第二ＯＢＬ３２は、例えば開口数約０．３７〜０．９５、実質的に開口数略０．４５〜０．６５として機能する。
【００７８】
第一発光素子（図示せず）から出射された第一波長レーザ光は、ＯＰＵ１ｉ（図２）を構成するレンズホルダ５ｉの下側開口部５ａからレンズホルダ５ｉの第一のレーザ光通過空間部５ｍ内に入射されて第一のレーザ光通過空間部５ｍを通り抜け、第一ＯＢＬ３１により集光されて、「Blu-ray Disc」系光ディスクの信号面にスポット状に照射される。
【００７９】
また、第一発光素子（図示せず）から出射された第一波長レーザ光は、ＯＰＵ１ｉ（図２）を構成するレンズホルダ５ｉの下側開口部５ａからレンズホルダ５ｉの第二のレーザ光通過空間部５ｎ内に入射されて第二のレーザ光通過空間部５ｎを通り抜け、第二ＯＢＬ３２（図３）により集光されて、「ＨＤ  ＤＶＤ」系光ディスクの信号面にスポット状に照射される。
【００８０】
また、第二発光素子（図示せず）から出射された第二波長レーザ光は、ＯＰＵ１ｉ（図２）を構成するレンズホルダ５ｉの下側開口部５ａからレンズホルダ５ｉの第二のレーザ光通過空間部５ｎ内に入射されて第二のレーザ光通過空間部５ｎを通り抜け、第二ＯＢＬ３２（図３）により集光されて、「ＤＶＤ」系光ディスクの信号面にスポット状に照射される。
【００８１】
また、第三発光素子（図示せず）から出射された第三波長レーザ光は、ＯＰＵ１ｉ（図２）を構成するレンズホルダ５ｉの下側開口部５ａからレンズホルダ５ｉの第二のレーザ光通過空間部５ｎ内に入射されて第二のレーザ光通過空間部５ｎを通り抜け、第二ＯＢＬ３２（図３）により集光されて、「ＣＤ」系光ディスクの信号面にスポット状に照射される。
【００８２】
ＯＰＵ１ｉの設計／仕様などにより、例えば、第二発光素子および第三発光素子が、一つの発光素子として構成された二波長発光素子が用いられてもよい。また、ＯＰＵ１ｉの設計／仕様などにより、例えば、第一発光素子と第二発光素子と第三発光素子とが、一つの発光素子として構成された三波長発光素子が用いられてもよい。
【００８３】
ＯＰＵ１ｉ（図１）の駆動部は、例えば、電流が流されて通電状態とされたときに電磁力を発生する複数のコイル４１，４２，４３，４４，４５，４６と、複数のコイル４１，４２，４３，４４，４５，４６に対応し常に磁力を発生する複数の磁石（図示せず）と、前記複数の磁石のうち各第一磁石が装着される第一ヨーク（図示せず）と、前記複数の磁石のうち各第二磁石が装着される第二ヨーク（図示せず）と、コイル４１の近傍に位置しレーザ光が透過する第一ＯＢＬ３１と、コイル４２の近傍に位置しレーザ光が透過する第二ＯＢＬ３２と、複数のコイル４１，４２，４３，４４，４５，４６と複数のＯＢＬ３１，３２とが装着される一つのレンズホルダ５ｉと、一つのレンズホルダ５ｉを弾性支持する複数のサスペンションワイヤ（図示せず）とを備えるものとして構成される。
【００８４】
「ヨーク」とは、例えば磁気的な連結を構造的に支持したものを意味する。また、ヨーク（yoke）は、磁石から生じる磁力の漏れを少なくさせるものとされている。また、ＯＰＵ１ｉの駆動部は、いわゆるアクチュエータとして構成される。「アクチュエータ」とは、例えばエネルギーを並進運動または回転運動に変換させる駆動装置を意味する。アクチュエータ（actuator）は、「ＡＣＴ」と略称されて用いられる。各ＯＢＬ３１，３２によって絞られたレーザ光の焦点が、光ディスクの信号層に合わせられるときに、各ＯＢＬ３１，３２がレンズホルダ５ｉに装着されて構成されたレンズ組立体は、アクチュエータにより前後上下に駆動される。
【００８５】
第一方向駆動用コイル４１に対応して、第一方向駆動用磁石が第一ヨークに取付固定される。また、第一方向駆動用コイル４２に対応して、第一方向駆動用磁石が第一ヨークに取付固定される。また、第二方向駆動用コイル４３に対応して、第二方向駆動用磁石が第二ヨークに取付固定される。また、第二方向駆動用コイル４４に対応して、第二方向駆動用磁石が第二ヨークに取付固定される。また、第二方向駆動用コイル４５に対応して、第二方向駆動用磁石が第二ヨークに取付固定される。また、第二方向駆動用コイル４６に対応して、第二方向駆動用磁石が第二ヨークに取付固定される。
【００８６】
また、各ＯＢＬ３１，３２が装着されるレンズホルダ５ｉは、複数のサスペンションワイヤによって、移動可能に弾性支持される。また、各サスペンションワイヤは、回路基板（図示せず）に通電可能に接続されて取り付けられる。
【００８７】
また、ＯＰＵ１ｉの可動部は、例えば、電流が流されて通電状態とされたときに電磁力を発生する六つのコイル４１，４２，４３，４４，４５，４６と、コイル４１の近傍に位置しレーザ光が透過する第一ＯＢＬ３１と、コイル４２の近傍に位置しレーザ光が透過する第二ＯＢＬ３２と、六つのコイル４１，４２，４３，４４，４５，４６と二つのＯＢＬ３１，３２とが装着される一つのレンズホルダ５ｉと、一つのレンズホルダ５ｉを弾性支持する六本のサスペンションワイヤとを備えるものとして構成される。
【００８８】
回路基板と、サスペンションワイヤとが通電可能に接続され、サスペンションワイヤと、コイル４１，４２，４３，４４，４５，４６とが通電可能に接続され、回路基板からサスペンションワイヤを経由してコイル４１，４２，４３，４４，４５，４６に電流が流されることで、コイル４１，４２，４３，４４，４５，４６と、対物レンズ３１，３２とを備えるレンズホルダ５ｉが動かされる。
【００８９】
このＯＰＵ１ｉ（図１，図２）は、第一波長光に対応し取付基準となる第一ＯＢＬ３１（図１〜図３）と、第一波長光と異なる波長光の第二波長光に対応し第一ＯＢＬ３１に並設される第二ＯＢＬ３２（図３）と、第一ＯＢＬ３１および第二ＯＢＬ３２が取り付けられるレンズホルダ５ｉ（図１，図２）とを少なくとも備えるものとされている。レンズホルダ５ｉに位置合せされて取り付けられた第一ＯＢＬ３１に対し、第二ＯＢＬ３２（図３）は、光軸角度調整が行われてレンズホルダ５ｉに取り付けられる。第一ＯＢＬ３１の環状をした略平面状の上側基準面部３１ｎと、第二ＯＢＬ３２の環状をした略平面状の上側基準面部３２ｎとが、略平行となるように微調整されて、第二ＯＢＬ３２（図３）がレンズホルダ５ｉ（図１，図２）に取り付けられる。
【００９０】
このようにＯＰＵ１ｉが構成されていれば、第二ＯＢＬ３２は、第一ＯＢＬ３１に対して精度よく光軸角度調整が行われて、レンズホルダ５ｉに取り付けられる。取付基準となる第一ＯＢＬ３１に対し、第二ＯＢＬ３２は、光軸角度調整が行われてレンズホルダ５ｉに取り付けられるので、第一ＯＢＬ３１に対する第二ＯＢＬ３２の光軸の角度差は、少なく抑えられる。従って、レンズホルダ５ｉに第一ＯＢＬ３１および第二ＯＢＬ３２が精度よく取り付けられて構成されたＯＰＵ１ｉの提供が可能となる。
【００９１】
第一ＯＢＬ３１（図１〜図３）を透過するレーザ光の光軸と、第二ＯＢＬ３２（図３）を透過するレーザ光の光軸とが略平行状態に調整されて、レンズホルダ５ｉ（図１，図２）に、第一ＯＢＬ３１と、第二ＯＢＬ３２（図３）とが取り付けられる。
【００９２】
これにより、第一ＯＢＬ３１の光軸に対する第二ＯＢＬ３２の光軸の角度差は、少なく抑えられる。レンズホルダ５ｉに取り付けられた第一ＯＢＬ３１の光軸に対し、第二ＯＢＬ３２の光軸が略平行状態となるように調整されて、レンズホルダ５ｉに第二ＯＢＬ３２が取り付けられるので、精度よく第一ＯＢＬ３１および第二ＯＢＬ３２がレンズホルダ５ｉに取り付けられて構成されたＯＰＵ１ｉを提供することが可能となる。
【００９３】
図１および図２の如く、レンズホルダ５ｉは、第一ＯＢＬ３１が取り付けられる第一レンズ装着部１３ａと、第二ＯＢＬ３２が取り付けられる第二レンズ装着部１３ｂ１とを備えるものとされている。図２の如く、第一レンズ装着部１３ａに、第一ＯＢＬ３１の取付部３１ａが合わせられる基準部１３０が設けられている。具体的に説明すると、第一レンズ装着部１３ａに、第一ＯＢＬ３１の取付面部３１ａが合わせられる基準面部１３０が設けられている。また、第二レンズ装着部１３ｂ１に、第二ＯＢＬ３２（図３）の取付部３２ｂが光軸角度調整可能に合わせられる光軸角度調整部１３１（図１，図２）が設けられている。
【００９４】
このようにＯＰＵ１ｉが構成されていれば、第一ＯＢＬ３１および第二ＯＢＬ３２は、精度よくレンズホルダ５ｉに取り付けられる。レンズホルダ５ｉの第一レンズ装着部１３ａの基準面部１３０に、第一ＯＢＬ３１の取付面部３１ａが合わせられることにより、第一ＯＢＬ３１は、レンズホルダ５ｉに精度よく取り付けられる。また、レンズホルダ５ｉの第二レンズ装着部１３ｂ１の光軸角度調整部１３１に、第二ＯＢＬ３２の取付部３２ｂが合わせられて、第一ＯＢＬ３１に対する第二ＯＢＬ３２の光軸角度調整が行われることにより、第二ＯＢＬ３２は、レンズホルダ５ｉに精度よく取り付けられる。従って、レンズホルダ５ｉに対する第一ＯＢＬ３１および第二ＯＢＬ３２の取付作業は、精度よく行われる。
【００９５】
レンズホルダ５ｉ（図１，図２）の第一レンズ装着部１３ａの基準面部１３０上に、第一ＯＢＬ３１の略円環状取付部３１ａの下側周縁端部３１ｅが位置する。レンズホルダ５ｉの第一レンズ装着部１３ａの基準面部１３０は、滑らかな平面として形成されている。
【００９６】
レンズホルダ５ｉ（図１，図２）の第二レンズ装着部１３ｂ１に設けられた光軸角度調整部１３１は、第二ＯＢＬ３２（図３）の光軸角度調整を可能とさせる球座部１３ｓ（図１，図２）を備えるものとされている。光ディスクに対し、ＯＰＵ１ｉの第二ＯＢＬ３２に相対スキューが発生することを解消させるために、基準となる一方の対物レンズ３１に対し、他方の対物レンズ３２（図３）の角度を調整させることが可能とされた形状のレンズホルダ５ｉ（図１，図２）を構成する。
【００９７】
これにより、第一ＯＢＬ３１の光軸に対する第二ＯＢＬ３２の光軸の角度調整は、精度よく行われる。第二ＯＢＬ３２が取り付けられるレンズホルダ５ｉの第二レンズ装着部１３ｂ１の光軸角度調整部１３１に球座部１３ｓが設けられているので、レンズホルダ５ｉの第二レンズ装着部１３ｂ１の球座部１３ｓ上にて、第二ＯＢＬ３２の光軸角度は自在に調整される。
【００９８】
レンズホルダ５ｉ（図１，図２）の第二レンズ装着部１３ｂ１に設けられた光軸角度調整部１３１の球座部１３ｓは、レンズホルダ５ｉの第一レンズ装着部１３ａの基準面部１３０よりもレンズホルダ５ｉの上側に球座部１３ｓの上側周縁端部１３ｅが位置し且つレンズホルダ５ｉの上側に向けて突設された断面内部略湾曲面状の鍔部１３ｒを有する。断面内部略湾曲面状の鍔部１３ｒは、レンズホルダ５ｉの第一レンズ装着部１３ａの基準面部１３０よりも上側の光軸角度調整部１３１を構成する球座部１３ｓの周縁端部１３ｅまで延長形成されている。
【００９９】
これにより、第一ＯＢＬ３１の光軸に対する第二ＯＢＬ３２の光軸の角度調整は、精度よく行われ易くなる。レンズホルダ５ｉの第二レンズ装着部１３ｂ１に設けられた光軸角度調整部１３１の球座部１３ｓは、レンズホルダ５ｉの第一レンズ装着部１３ａの基準面部１３０よりもレンズホルダ５ｉの上側に球座部１３ｓの上側周縁端部１３ｅが位置し且つレンズホルダ５ｉの上側に向けて突設された断面内部略湾曲面状の鍔部１３ｒを有する構造とされているので、レンズホルダ５ｉの第二レンズ装着部１３ｂ１の球座部１３ｓ上にて、第二ＯＢＬ３２の光軸角度が行われるときに、例えば、第二ＯＢＬ３２の略円環状取付部３２ｂの下側周縁端部３２ｅが、光軸角度調整部１３１の球座部１３ｓの周縁端部１３ｅからはみ出されるということは回避される。第二ＯＢＬ３２の略円環状取付部３２ｂの下側周縁端部３２ｅが光軸角度調整部１３１の球座部１３ｓの周縁端部１３ｅからはみ出されないので、第一ＯＢＬ３１の光軸に対する第二ＯＢＬ３２の光軸の角度調整が精度よく行われないという不具合の発生は、回避され易くなる。
【０１００】
レンズホルダ５ｉ（図１，図２）の第二レンズ装着部１３ｂ１の光軸角度調整部１３１に設けられた球座部１３ｓに、第二ＯＢＬ３２（図３）の略円環状取付部３２ｂの下側周縁端部３２ｅが接する。レンズホルダ５ｉ（図１，図２）の第二レンズ装着部１３ｂ１の光軸角度調整部１３１に設けられた球座部１３ｓは、滑らかな曲面で形成された球面座部１３ｓとされている。
【０１０１】
これにより、第一ＯＢＬ３１の光軸に対する第二ＯＢＬ３２の光軸の角度調整は、精度よく行われる。レンズホルダ５ｉの第二レンズ装着部１３ｂ１の光軸角度調整部１３１に設けられた球面座部１３ｓに、第二ＯＢＬ３２の略円環状取付部３２ｂの下側周縁端部３２ｅが接した状態で、第二ＯＢＬ３２の光軸角度調整が行われる。第二ＯＢＬ３２は、レンズホルダ５ｉの第二レンズ装着部１３ｂ１の光軸角度調整部１３１に設けられた球面座部１３ｓ上において、自在に角度調整される。従って、第一ＯＢＬ３１に対する第二ＯＢＬ３２の光軸角度調整が精度よく行われる。
【０１０２】
レンズホルダ５ｉ（図１，図２）の第一レンズ装着部１３ａに設けられた略平面状の基準面部１３０に対し、第二ＯＢＬ３２（図３）に形成された略平面状の上側基準面部３２ｎが０〜３°の角度とされて、レンズホルダ５ｉ（図１，図２）の第二レンズ装着部１３ｂ１に設けられた角度調整部１３１の球面座部１３ｓに、第二ＯＢＬ３２（図３）が備えられる。
【０１０３】
第一ＯＢＬ３１（図１，図２）に対する第二ＯＢＬ３２（図３）の角度調整が行われるときに、レンズホルダ５ｉ（図１，図２）の第一レンズ装着部１３ａに設けられた略平面状の基準面部１３０に対し、第二ＯＢＬ３２（図３）の上側に設けられた略平面状の基準面部３２ｎが、設計数値上、−３°ないし＋３°の範囲内で傾けられる。
【０１０４】
これにより、第一ＯＢＬ３１に対する第二ＯＢＬ３２の角度調整は、精度よく容易に行われる。レンズホルダ５ｉの第二レンズ装着部１３ｂ１に設けられた角度調整部１３１の球面座部１３ｓに、第二ＯＢＬ３２が備えられて、レンズホルダ５ｉの第一レンズ装着部１３ａに設けられた略平面状の基準面部１３０に対し、第二ＯＢＬ３２に形成された略平面状の上側基準面部３２ｎが０〜３°の角度に調整されて、第一ＯＢＬ３１に対する第二ＯＢＬ３２の角度調整が行われるので、第二ＯＢＬ３２の角度調整が行われるときの微調整は、精度よく容易に行われる。
【０１０５】
レンズホルダ５ｉ（図１，図２）の第一レンズ装着部１３ａに設けられた略平面状の基準面部１３０に対し、第二ＯＢＬ３２（図３）に形成された略平面状の上側基準面部３２ｎが０〜２°の角度とされて、レンズホルダ５ｉ（図１，図２）の第二レンズ装着部１３ｂ１に設けられた角度調整部１３１の球面座部１３ｓに、第二ＯＢＬ３２（図３）が備えられることが好ましい。
【０１０６】
第一ＯＢＬ３１（図１，図２）に対する第二ＯＢＬ３２（図３）の角度調整が行われるときに、レンズホルダ５ｉ（図１，図２）の第一レンズ装着部１３ａに設けられた略平面状の基準面部１３０に対し、第二ＯＢＬ３２（図３）の上側に設けられた略平面状の基準面部３２ｎが、設計数値上、−２°ないし＋２°の範囲内で傾けられることが好ましい。
【０１０７】
これにより、レンズホルダ５ｉの第一レンズ装着部１３ａに設けられた略平面状の基準面部１３０に対し、第二ＯＢＬ３２が甚だしく傾けられることなく、レンズホルダ５ｉに第二ＯＢＬ３２が精度よく装着される。
【０１０８】
レンズホルダ５ｉ（図１，図２）の第一レンズ装着部１３ａに設けられた略平面状の基準面部１３０に対し、第二ＯＢＬ３２（図３）に形成された略平面状の上側基準面部３２ｎが０〜１°の角度とされて、レンズホルダ５ｉ（図１，図２）の第二レンズ装着部１３ｂ１に設けられた角度調整部１３１の球面座部１３ｓに、第二ＯＢＬ３２（図３）が備えられるとよい。
【０１０９】
第一ＯＢＬ３１（図１，図２）に対する第二ＯＢＬ３２（図３）の角度調整が行われるときに、レンズホルダ５ｉ（図１，図２）の第一レンズ装着部１３ａに設けられた略平面状の基準面部１３０に対し、第二ＯＢＬ３２（図３）の上側に設けられた略平面状の基準面部３２ｎが、設計数値上、−１°ないし＋１°の範囲内で傾けられるとよい。
【０１１０】
これにより、レンズホルダ５ｉの第一レンズ装着部１３ａに設けられた略平面状の基準面部１３０と、第二ＯＢＬ３２の上側に設けられた略平面状の基準面部３２ｎとが略平行な状態とされ、レンズホルダ５ｉに第二ＯＢＬ３２が高精度に装着される。
【０１１１】
第一ＯＢＬ３１に対する第二ＯＢＬ３２の角度調整は、治具が用いられて行われる。レンズホルダ５ｉを下から支えた状態で、第二ＯＢＬ３２を上からゴニオステージ（図示せず）に取り付けたヘッド（図示せず）などで押さえながら、第二ＯＢＬ３２の角度調整を行う。
【０１１２】
接着剤（図示せず）が用いられて、レンズホルダ５ｉ（図１，図２）に、第一ＯＢＬ３１および第二ＯＢＬ３２（図３）が固定される。接着剤が用いられることにより、第一ＯＢＬ３１および第二ＯＢＬ３２は、レンズホルダ５ｉに確実に固定される。
【０１１３】
レンズホルダ５ｉ（図１，図２）の第一ピース１０ｉの基準部１３０に備えられた第一ＯＢＬ３１の周縁部３１ｄからレンズホルダ５ｉの第一ピース１０ｉの基準部１３０にかけて接着剤が点付け状態で塗布されて、レンズホルダ５ｉの第一ピース１０ｉの基準部１３０に、第一ＯＢＬ３１が接着固定される。また、レンズホルダ５ｉの第一ピース１０ｉの光軸角度調整部１３１に備えられた第二ＯＢＬ３２（図３）の周縁部３２ｄからレンズホルダ５ｉ（図１，図２）の第一ピース１０ｉの光軸角度調整部１３１における球座部１３ｓにかけて接着剤が点付け状態で塗布されて、レンズホルダ５ｉの第一ピース１０ｉの光軸角度調整部１３１に、第二ＯＢＬ３２が接着固定される。
【０１１４】
接着剤として、光などの電子線が照射されることで硬化する電子線硬化型接着剤が用いられた。具体的に説明すると、接着剤として、紫外線が照射されることで硬化する紫外線硬化型接着剤が用いられた。
【０１１５】
これにより、第一ＯＢＬ３１および第二ＯＢＬ３２は、レンズホルダ５ｉを構成する第一ピース１０ｉに精度よく迅速に固定される。レンズホルダ５ｉを構成する第一ピース１０ｉの基準部１３０に第一ＯＢＬ３１が精度よく固定されることにより、光ディスクの信号面部に精度よくレーザ光が照射される。また、レンズホルダ５ｉを構成する第一ピース１０ｉの光軸角度調整部１３１に第二ＯＢＬ３２が精度よく固定されることにより、光ディスクの信号面部に精度よくレーザ光が照射される。また、レンズホルダ５ｉを構成する第一ピース１０ｉに第一ＯＢＬ３１および第二ＯＢＬ３２が迅速に固着されることにより、レンズホルダ５ｉを構成する第一ピース１０ｉに対する第一ＯＢＬ３１および第二ＯＢＬ３２の接着作業は速やかに行われる。従って、ＯＰＵ１ｉの組立工程における接着工程が迅速化される。ＯＰＵ１ｉの組立方法は、効率よく迅速に行われる。また、これに伴って、ＯＰＵ１ｉの価格低減化が図られる。
【０１１６】
電子線硬化型接着剤の一種とされる紫外線硬化型接着剤として、例えば、米国ＥＭＩ社製：商品名「ＯＰＴＯＣＡＳＴ」シリーズのもの等が挙げられる。具体的な紫外線硬化型接着剤としては、米国ＥＭＩ社製：ＯＰＴＯＣＡＳＴ３４００，ＯＰＴＯＣＡＳＴ３４１５等が挙げられる。ＯＰＴＯＣＡＳＴ３４００，ＯＰＴＯＣＡＳＴ３４１５等の紫外線硬化型接着剤は、エポキシ系のものとされ、一液性の紫外線硬化型接着剤とされている。エポキシ系の紫外線硬化型接着剤は、低収縮性で高耐熱性のものとされ、耐薬品性、耐湿性に優れるものとされている。一液性の紫外線硬化型接着剤が用いられることにより、二液性の紫外線硬化型接着剤が使用されるときに行われる液と液との混合作業が不要となる。従って、接着剤の塗布工程は、迅速で効率的に行われる。
【０１１７】
また、電子線硬化型接着剤の一種とされる紫外線硬化型接着剤として、例えば、米国ＮＯＲＬＡＮＤ社製：光学ＵＶ接着剤ＮＯＡ６０，ＮＯＡ８３Ｈ等が挙げられる。光学ＵＶ接着剤ＮＯＡ６０，ＮＯＡ８３Ｈ等の紫外線硬化型接着剤は、アクリル系のものとされ、一液性の紫外線硬化型接着剤とされている。アクリル系の紫外線硬化型接着剤は、硬化時間が短く数秒単位で硬化可能なものとされている。「ＵＶ」とは、「ultraviolet」を意味する。また、「ultraviolet radiation」は、「紫外線」を意味する。紫外線硬化型接着剤は、ＵＶ硬化型接着剤などと呼ばれている。光ピックアップ装置の設計仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。
【０１１８】
上記ＯＰＵ１ｉは、光ディスク装置（図示せず）に内装される。光ディスク装置は、上記ＯＰＵ１ｉを備えるものとして構成される。
【０１１９】
これにより、レンズホルダ５ｉに第一ＯＢＬ３１および第二ＯＢＬ３２が精度よく取り付けられて構成されたＯＰＵ１ｉ付の光ディスク装置を提供することが可能となる。光ディスク装置に各種光ディスク（図示せず）が挿入されて、光ディスクのデータが読み出されたり、光ディスクにデータが書き込まれたりされるときに、第一ＯＢＬ３１に対する第二ＯＢＬ３２の光軸の角度差を少なく抑えたＯＰＵ１ｉが、光ディスク装置に装備されるので、各種光ディスクからのデータの読出しや、各種各光ディスクに対するデータの書込みは、ＯＰＵ１ｉを備える光ディスク装置にて正常に行われる。
【実施例２】
【０１２０】
図４は、本発明に係る光ピックアップ装置の第二の実施形態を示す斜視図、図５は、図４のＢ−Ｂ断面図、図６は、光ピックアップ装置のレンズホルダの第二レンズ装着部を示す拡大断面図である。
【０１２１】
光ピックアップ装置（ＯＰＵ）１ii（図４，図５）のレンズホルダ５iiの第一ピース１０iiに取り付けられる各対物レンズ（ＯＢＬ）３１，３２について、図３を併用して説明する。
【０１２２】
また、第一の実施形態におけるＯＰＵ１ｉ（図１，図２）と、第二の実施形態におけるＯＰＵ１ii（図４，図５）との差異部について説明すると、ＯＰＵ１ｉ（図１，図２）のレンズホルダ５ｉの第一ピース１０ｉにおける第二レンズ装着部１３ｂ１の光軸角度調整部１３１に対し、ＯＰＵ１ii（図４，図５）のレンズホルダ５iiの第一ピース１０iiにおける第二レンズ装着部１３ｂ２の光軸角度調整部１３２が異なる。他の部分においては、図１および図２に示す実施例１のものと、図４および図５に示す実施例２のものとは、全て同一とされている。実施例２において、実施例１にて説明したものと同一のものについては、同一の符号を付し、その詳細な説明を省略した。
【０１２３】
ＯＰＵ１ii（図４，図５）を構成するレンズホルダ５iiは、複数のＯＢＬ３１，３２が装着される上記合成樹脂製の第一ピース１０iiと、第一ピース１０iiの下側に装着される上記合成樹脂製の第二ピース２０とを備えて構成されている。レンズホルダ５iiを構成する第一ピース１０iiおよび第二ピース２０は、上記液晶ポリマなどの成形性に優れる耐熱性の熱可塑性合成樹脂が用いられて、大量生産性に優れる射出成形法に基づいて形成されている。
【０１２４】
図４および図５においては、レンズホルダ５iiは、第一ピース１０iiと、第二ピース２０との二つのものを備えた二構造のものとして構成されているが、ＯＰＵ１iiの設計／仕様などにより、例えば、２ピース構造とされることなく単一部材のレンズホルダ（５ii）とされたものも使用可能とされる。
【０１２５】
ＯＰＵ１iiは、上記複数の光ディスクに対応可能なものとされている。また、ＯＰＵ１iiは、上記第一波長レーザ光と、上記第一波長レーザ光と異なる波長光の上記第二波長レーザ光と、上記第一波長レーザ光および上記第二波長レーザ光と異なる波長光の上記第三波長レーザ光との三波長に対応したものとされている。
【０１２６】
このＯＰＵ１ii（図４，図５）は、第一波長光に対応し取付基準となる第一ＯＢＬ３１（図３〜図５）と、第一波長光と異なる波長光の第二波長光に対応し第一ＯＢＬ３１に並設される第二ＯＢＬ３２（図３）と、第一ＯＢＬ３１および第二ＯＢＬ３２が取り付けられるレンズホルダ５ii（図４，図５）とを少なくとも備えるものとされている。レンズホルダ５iiに位置合せされて取り付けられた第一ＯＢＬ３１に対し、第二ＯＢＬ３２（図３）は、光軸角度調整が行われてレンズホルダ５iiに取り付けられる。第一ＯＢＬ３１の環状をした略平面状の上側基準面部３１ｎと、第二ＯＢＬ３２の環状をした略平面状の上側基準面部３２ｎとが、略平行となるように微調整されて、第二ＯＢＬ３２（図３）がレンズホルダ５ii（図４，図５）に取り付けられる。
【０１２７】
このようにＯＰＵ１iiが構成されていれば、第二ＯＢＬ３２は、第一ＯＢＬ３１に対して精度よく光軸角度調整が行われて、レンズホルダ５iiに取り付けられる。取付基準となる第一ＯＢＬ３１に対し、第二ＯＢＬ３２は、光軸角度調整が行われてレンズホルダ５iiに取り付けられるので、第一ＯＢＬ３１に対する第二ＯＢＬ３２の光軸の角度差は、少なく抑えられる。従って、レンズホルダ５iiに第一ＯＢＬ３１および第二ＯＢＬ３２が精度よく取り付けられて構成されたＯＰＵ１iiの提供が可能となる。
【０１２８】
第一ＯＢＬ３１（図３〜図５）を透過するレーザ光の光軸と、第二ＯＢＬ３２（図３）を透過するレーザ光の光軸とが略平行状態に調整されて、レンズホルダ５ii（図４，図５）に、第一ＯＢＬ３１と、第二ＯＢＬ３２（図３）とが取り付けられる。
【０１２９】
これにより、第一ＯＢＬ３１の光軸に対する第二ＯＢＬ３２の光軸の角度差は、少なく抑えられる。レンズホルダ５iiに取り付けられた第一ＯＢＬ３１の光軸に対し、第二ＯＢＬ３２の光軸が略平行状態となるように調整されて、レンズホルダ５iiに第二ＯＢＬ３２が取り付けられるので、精度よく第一ＯＢＬ３１および第二ＯＢＬ３２がレンズホルダ５iiに取り付けられて構成されたＯＰＵ１iiを提供することが可能となる。
【０１３０】
図４および図５の如く、レンズホルダ５iiは、第一ＯＢＬ３１が取り付けられる第一レンズ装着部１３ａと、第二ＯＢＬ３２が取り付けられる第二レンズ装着部１３ｂ１とを備えるものとされている。図５の如く、第一レンズ装着部１３ａに、第一ＯＢＬ３１の取付部３１ａが合わせられる基準部１３０が設けられている。具体的に説明すると、第一レンズ装着部１３ａに、第一ＯＢＬ３１の取付面部３１ａが合わせられる基準面部１３０が設けられている。また、第二レンズ装着部１３ｂ１に、第二ＯＢＬ３２（図３）の取付部３２ｂが光軸角度調整可能に合わせられる光軸角度調整部１３２（図４，図５，図６）が設けられている。
【０１３１】
このようにＯＰＵ１iiが構成されていれば、第一ＯＢＬ３１および第二ＯＢＬ３２は、精度よくレンズホルダ５iiに取り付けられる。レンズホルダ５iiの第一レンズ装着部１３ａの基準面部１３０に、第一ＯＢＬ３１の取付面部３１ａが合わせられることにより、第一ＯＢＬ３１は、レンズホルダ５iiに精度よく取り付けられる。また、レンズホルダ５iiの第二レンズ装着部１３ｂ１の光軸角度調整部１３２に、第二ＯＢＬ３２の取付部３２ｂが合わせられて、第一ＯＢＬ３１に対する第二ＯＢＬ３２の光軸角度調整が行われることにより、第二ＯＢＬ３２は、レンズホルダ５iiに精度よく取り付けられる。従って、レンズホルダ５iiに対する第一ＯＢＬ３１および第二ＯＢＬ３２の取付作業は、精度よく行われる。
【０１３２】
レンズホルダ５ii（図４，図５）の第一レンズ装着部１３ａの基準面部１３０上に、第一ＯＢＬ３１の略円環状取付部３１ａの下側周縁端部３１ｅが位置する。レンズホルダ５ｉの第一レンズ装着部１３ａの基準面部１３０は、滑らかな平面として形成されている。
【０１３３】
レンズホルダ５ii（図４〜図６）の第二レンズ装着部１３ｂ２に設けられた光軸角度調整部１３２は、第二ＯＢＬ３２（図３）の光軸角度調整を可能とさせる略平面状の斜面部１３ｓ１，１３ｓ２（図４〜図６）を備えるものとされている。略平面状の斜面部１３ｓ１，１３ｓ２は、例えばテーパとして形成されている。光ディスクに対し、ＯＰＵ１ii（図４，図５）の第二ＯＢＬ３２に相対スキューが発生することを解消させるために、基準となる一方の対物レンズ３１に対し、他方の対物レンズ３２（図３）の角度を調整させることが可能とされた形状のレンズホルダ５ii（図４，図５）を構成する。
【０１３４】
これにより、第一ＯＢＬ３１の光軸に対する第二ＯＢＬ３２の光軸の角度調整は、容易に行われる。第二ＯＢＬ３２が取り付けられるレンズホルダ５iiの第二レンズ装着部１３ｂ２の光軸角度調整部１３２に、略平面状の斜面部１３ｓ１，１３ｓ２が設けられているので、レンズホルダ５iiの第二レンズ装着部１３ｂ２の略平面状斜面部１３ｓ１，１３ｓ２上にて、第二ＯＢＬ３２の光軸角度は、容易に調整される。
【０１３５】
レンズホルダ５ii（図４〜図６）の第二レンズ装着部１３ｂ２に設けられた光軸角度調整部１３２は、第二ＯＢＬ３２（図３）の光軸角度調整を可能とさせる一対の略平面状斜面部１３ｓ１，１３ｓ２（図４〜図６）と、一対の略平面状斜面部１３ｓ１，１３ｓ２の間に設けられた頂部１３ｔとを備えるものとして構成されている。略直線状の頂部１３ｔを境に、一方の略平面状斜面部１３ｓ１と、他方の略平面状斜面部１３ｓ２とが設けられて、第二レンズ装着部１３ｂ２の光軸角度調整部１３２がレンズホルダ５iiに構成されている。
【０１３６】
このようにレンズホルダ５iiの第二レンズ装着部１３ｂ２の光軸角度調整部１３２が構成されていれば、第一ＯＢＬ３１の光軸に対する第二ＯＢＬ３２の光軸の角度調整は、容易に行われる。第二ＯＢＬ３２が取り付けられるレンズホルダ５iiの第二レンズ装着部１３ｂ２の光軸角度調整部１３２に、一対の略平面状斜面部１３ｓ１，１３ｓ２が設けられると共に、一対の略平面状斜面部１３ｓ１，１３ｓ２の間に頂部１３ｔが設けられているので、レンズホルダ５iiの第二レンズ装着部１３ｂ２における一対の略平面状斜面部１３ｓ１，１３ｓ２および頂部１３ｔ上に第二ＯＢＬ３２が備えられたのちに、第二ＯＢＬ３２の光軸角度調整が容易に行われる。
【０１３７】
第二ＯＢＬ３２は、例えばシーソのように、レンズホルダ５iiの第二レンズ装着部１３ｂ２の光軸角度調整部１３２に設けられた頂部１３ｔを支点として、レンズホルダ５iiの第二レンズ装着部１３ｂ２の光軸角度調整部１３２における一方の略平面状斜面部１３ｓ１または他方の略平面状斜面部１３ｓ２に向けて傾けられる。従って、第一ＯＢＬ３１に対する第二ＯＢＬ３２の光軸角度調整は、容易に実行される。
【０１３８】
レンズホルダ５ii（図４〜図６）の第二レンズ装着部１３ｂ２の光軸角度調整部１３２上に第二ＯＢＬ３２（図３）が備えられたときに、レンズホルダ５ii（図４〜図６）の第二レンズ装着部１３ｂ２の光軸角度調整部１３２に設けられた頂部１３ｔに、第二ＯＢＬ３２（図３）の略円環状取付部３２ｂが必ず接する。
【０１３９】
これにより、第一ＯＢＬ３１の光軸に対する第二ＯＢＬ３２の光軸の角度調整は、容易に行われる。レンズホルダ５iiの第二レンズ装着部１３ｂ２の光軸角度調整部１３２に設けられた頂部１３ｔに、第二ＯＢＬ３２の略円環状取付部３２ｂが必ず接した状態で、第二ＯＢＬ３２の光軸角度調整が行われる。
【０１４０】
第二ＯＢＬ３２の取付部３２ｂは、例えばシーソのように、レンズホルダ５iiの第二レンズ装着部１３ｂ２の光軸角度調整部１３２に設けられた頂部１３ｔを支点として、レンズホルダ５iiの第二レンズ装着部１３ｂ２の光軸角度調整部１３２における一方の略平面状斜面部１３ｓ１と、他方の略平面状斜面部１３ｓ２との間で傾けられる。レンズホルダ５iiの第二レンズ装着部１３ｂ２の光軸角度調整部１３２に設けられた頂部１３ｔを支点として、第二ＯＢＬ３２が傾けられることにより、第一ＯＢＬ３１に対する第二ＯＢＬ３２の光軸角度調整が容易に実行される。
【０１４１】
レンズホルダ５ii（図４〜図６）の第一レンズ装着部１３ａに設けられた略平面状の基準面部１３０に対し、レンズホルダ５iiの第二レンズ装着部１３ｂ２の光軸角度調整部１３２に設けられた一対の略平面状の斜面部１３ｓ１，１３ｓ２は、０°を超え３°以下の角度αｓ１，αｓ２に傾けられている。
【０１４２】
図５および図６において、第一レンズ装着部１３ａに設けられた略平面状の基準面部１３０に対し、第二レンズ装着部１３ｂ２に設けられた頂部１３ｔを中心として反時計回り方向に傾けられたものを、設計数値上、マイナス（−）の角度に傾けられたものと定める。また、第一レンズ装着部１３ａに設けられた略平面状の基準面部１３０に対し、第二レンズ装着部１３ｂ２に設けられた頂部１３ｔを中心として時計回り方向に傾けられたものを、設計数値上、プラス（＋）の角度に傾けられたものと定める。
【０１４３】
レンズホルダ５iiの第一レンズ装着部１３ａに設けられた略平面状の基準面部１３０が０°と定められたときに、レンズホルダ５iiの第二レンズ装着部１３ｂ２の光軸角度調整部１３２に設けられた第一の略平面状の斜面部１３ｓ１は、例えば、設計数値上、−３°以上０°未満の角度に傾けられている。
【０１４４】
また、レンズホルダ５iiの第一レンズ装着部１３ａに設けられた略平面状の基準面部１３０が０°と定められたときに、レンズホルダ５iiの第二レンズ装着部１３ｂ２の光軸角度調整部１３２に設けられた第二の略平面状の斜面部１３ｓ２は、例えば、設計数値上、０°を超え＋３°以下の角度に傾けられている。
【０１４５】
レンズホルダ５iiの第一レンズ装着部１３ａに設けられた略平面状の基準面部１３０に対し、レンズホルダ５iiの第二レンズ装着部１３ｂ２の光軸角度調整部１３２に設けられた一対の略平面状の斜面部１３ｓ１または１３ｓ２は、例えば、設計数値上、−３°以上０°未満または０°を超え＋３°以内の範囲内の角度αｓ１，αｓ２に傾けられている。
【０１４６】
また、レンズホルダ５iiの第一レンズ装着部１３ａに設けられた略平面状の基準面部１３０に対し、一対の略平面状斜面部１３ｓ１，１３ｓ２の傾斜角度αｓ１，αｓ２が、０°を超え３°以下とされたことにより、レンズホルダ５iiの第二レンズ装着部１３ｂ２の光軸角度調整部１３２に設けられた頂部１３ｔの角度αｔは、１７４°以上１８０°未満の鈍角とされる。鈍角とは、９０°よりも大きく１８０°よりも小さい角を意味する。
【０１４７】
このように各角度αｓ１，αｓ２，αｔが定められていれば、第一ＯＢＬ３１の光軸に対する第二ＯＢＬ３２の光軸の角度調整は、精度よく容易に行われる。レンズホルダ５iiの第二レンズ装着部１３ｂ２の光軸角度調整部１３２に設けられた鈍角の頂部１３ｔに、第二ＯＢＬ３２の略円環状取付部３２ｂが接した状態で、第二ＯＢＬ３２の光軸角度調整が行われる。
【０１４８】
レンズホルダ５iiの第一レンズ装着部１３ａに設けられた略平面状の基準面部１３０に対し、レンズホルダ５iiの第二レンズ装着部１３ｂ２の光軸角度調整部１３２に設けられた一対の略平面状の斜面部１３ｓ１，１３ｓ２が、０°を超え３°以下の角度αｓ１，αｓ２に傾けられて、レンズホルダ５iiの第二レンズ装着部１３ｂ２の光軸角度調整部１３２に設けられた頂部１３ｔの角度αｔが、１７４°以上１８０°未満の鈍角とされているので、第一ＯＢＬ３１に対する第二ＯＢＬ３２の光軸角度調整が行われているときに、例えば、第二ＯＢＬ３２の光軸角度が大幅に狂い、第二ＯＢＬ３２の光軸角度調整が行われ難くなるという不具合の発生は回避される。
【０１４９】
第二ＯＢＬ３２は、例えばシーソのように、レンズホルダ５iiの第二レンズ装着部１３ｂ２の光軸角度調整部１３２に設けられた頂部１３ｔを支点として、レンズホルダ５iiの第二レンズ装着部１３ｂ２の光軸角度調整部１３２における第一の略平面状斜面部１３ｓ１（例：−３°）と、第二の略平面状斜面部１３ｓ２（例：＋３°）との間で精度よく傾けられる。従って、第二ＯＢＬ３２の光軸角度調整が行われるときの微調整は、精度よく容易に行われる。
【０１５０】
レンズホルダ５ii（図４〜図６）の第一レンズ装着部１３ａに設けられた略平面状の基準面部１３０に対し、レンズホルダ５iiの第二レンズ装着部１３ｂ２の光軸角度調整部１３２に設けられた一対の略平面状の斜面部１３ｓ１，１３ｓ２は、０°を超え２°以下の小さい角度αｓ１，αｓ２に傾けられることが好ましい。
【０１５１】
レンズホルダ５iiの第一レンズ装着部１３ａに設けられた略平面状の基準面部１３０に対し、レンズホルダ５iiの第二レンズ装着部１３ｂ２の光軸角度調整部１３２に設けられた一対の略平面状の斜面部１３ｓ１または１３ｓ２は、例えば、設計数値上、−２°以上０°未満または０°を超え＋２°以内の範囲内の角度αｓ１，αｓ２に傾けられることが好ましい。
【０１５２】
また、レンズホルダ５iiの第一レンズ装着部１３ａに設けられた略平面状の基準面部１３０に対し、一対の略平面状斜面部１３ｓ１，１３ｓ２の傾斜角度αｓ１，αｓ２が、０°を超え２°以下とされたことにより、レンズホルダ５iiの第二レンズ装着部１３ｂ２の光軸角度調整部１３２に設けられた頂部１３ｔの角度αｔは、１７６°以上１８０°未満の鈍角とされることが好ましい。
【０１５３】
これにより、レンズホルダ５iiの第一レンズ装着部１３ａに設けられた略平面状の基準面部１３０に対し、第二ＯＢＬ３２が大きく傾けられることなく、レンズホルダ５iiに第二ＯＢＬ３２が精度よく装着される。
【０１５４】
レンズホルダ５ii（図４〜図６）の第一レンズ装着部１３ａに設けられた略平面状の基準面部１３０に対し、レンズホルダ５iiの第二レンズ装着部１３ｂ２の光軸角度調整部１３２に設けられた一対の略平面状の斜面部１３ｓ１，１３ｓ２は、０°を超え１°以下の僅かな角度αｓ１，αｓ２に傾けられるとよい。
【０１５５】
レンズホルダ５iiの第一レンズ装着部１３ａに設けられた略平面状の基準面部１３０に対し、レンズホルダ５iiの第二レンズ装着部１３ｂ２の光軸角度調整部１３２に設けられた一対の略平面状の斜面部１３ｓ１または１３ｓ２は、例えば、設計数値上、−１°以上０°未満または０°を超え＋１°以内の範囲内の角度αｓ１，αｓ２に傾けられるとよい。
【０１５６】
また、レンズホルダ５iiの第一レンズ装着部１３ａに設けられた略平面状の基準面部１３０に対し、一対の略平面状斜面部１３ｓ１，１３ｓ２の傾斜角度αｓ１，αｓ２が、０°を超え１°以下とされたことにより、レンズホルダ５iiの第二レンズ装着部１３ｂ２の光軸角度調整部１３２に設けられた頂部１３ｔの角度αｔは、１７８°以上１８０°未満の鈍角とされるとよい。
【０１５７】
これにより、レンズホルダ５iiの第一レンズ装着部１３ａに設けられた略平面状の基準面部１３０と、第二ＯＢＬ３２の上側に設けられた略平面状の基準面部３２ｎとが略平行な状態とされ、レンズホルダ５iiに第二ＯＢＬ３２が高精度に装着される。
【０１５８】
第一ＯＢＬ３１もしくは第二ＯＢＬ３２を透過したレーザ光が光ディスクに向けて進む方向Ｄａ、又は、光ディスクに反射されたレーザ光が第一ＯＢＬ３１もしくは第二ＯＢＬ３２に向けて進む方向Ｄａをアキシャル方向Ｄａと定める。アキシャル方向Ｄａは、レンズホルダ５ｉまたはＯＰＵ１ｉの上下方向Ｄａとされる。
【０１５９】
また、第一ＯＢＬ３１（図４，図５）または第二ＯＢＬ３２（図３）を透過したレーザ光が照射される光ディスクのトラック方向Ｄｔまたはピット方向Ｄｔをタンジェンシャル方向Ｄｔ（図３〜図６）と定める。タンジェンシャル方向Ｄｔは、レンズホルダ５ｉまたはＯＰＵ１ｉの左右方向Ｄｔとされる。このように方向Ｄｔが定められたときに、レンズホルダ５ii（図４〜図６）の第二レンズ装着部１３ｂ２に設けられた略平面状の斜面部１３ｓ１，１３ｓ２は、第二ＯＢＬ３２（図３）の光軸をタンジェンシャル方向Ｄｔに沿って調整可能な一対の略平面状の傾斜面部１３ｓ１，１３ｓ２（図４〜図６）として形成されている。
【０１６０】
レンズホルダ５iiの第二レンズ装着部１３ｂ２に設けられた略直線状の頂部１３ｔは、光ディスクの径方向Ｄｒとされるラジアル方向Ｄｒに略沿って形成されている。ラジアル方向Ｄｒに略沿って延設された略直線状の頂部１３ｔを境に、一方の略平面状斜面部１３ｓ１と、他方の略平面状斜面部１３ｓ２とが設けられて、第二レンズ装着部１３ｂ２の光軸角度調整部１３２がレンズホルダ５iiに構成されている。
【０１６１】
このように一対の略平面状の傾斜面部１３ｓ１，１３ｓ２が、レンズホルダ５iiの第二レンズ装着部１３ｂ２に形成されていれば、第二ＯＢＬ３２の光軸は、光ディスクのタンジェンシャル方向Ｄｔに沿って精度よく容易に調整される。レンズホルダ５iiの第二レンズ装着部１３ｂ２の光軸角度調整部１３２に設けられた一対の略平面状傾斜面部１３ｓ１，１３ｓ２に第二ＯＢＬ３２が合わされつつ、光ディスクのタンジェンシャル方向Ｄｔに沿った第二ＯＢＬ３２の光軸角度調整が行われる。従って、第一ＯＢＬ３１の光軸に対する第二ＯＢＬ３２の光軸のタンジェンシャル方向Ｄｔに沿った角度調整は、精度よく容易に行われる。
【０１６２】
また、第一ＯＢＬ３１（図４，図５）または第二ＯＢＬ３２（図３）を透過したレーザ光が照射される光ディスクの径方向Ｄｒをラジアル方向Ｄｒ（図３〜図６）と定める。ラジアル方向Ｄｒは、レンズホルダ５ｉまたはＯＰＵ１ｉの前後方向Ｄｒとされる。このように方向Ｄｒが定められたときに、例えば、レンズホルダ（５ii）の第二レンズ装着部（１３ｂ２）に設けられる略平面状の斜面部は、第二ＯＢＬ３２の光軸をラジアル方向Ｄｒに沿って調整可能な一対の略平面状の傾斜面部として形成されてもよい。
【０１６３】
例えば、図４を用いて説明すると、レンズホルダ５iiの第二レンズ装着部１３ｂ２に設けられる略平面状の斜面部（１３ｓ１，１３ｓ２）は、第二ＯＢＬ３２の光軸をラジアル方向Ｄｒに沿って調整可能な一対の略平面状の傾斜面部（１３ｓ１，１３ｓ２）として形成されていてもよい。
【０１６４】
この場合、レンズホルダ（５ii）の第二レンズ装着部（１３ｂ２）に設けられる略直線状の頂部は、タンジェンシャル方向Ｄｔに略沿って形成される。タンジェンシャル方向Ｄｔに略沿って延設された略直線状の頂部を境に、一方の略平面状斜面部と、他方の略平面状斜面部とが設けられて、第二レンズ装着部（１３ｂ２）の光軸角度調整部（１３２）がレンズホルダ（５ii）に構成される。
【０１６５】
このように一対の略平面状の傾斜面部が、レンズホルダ（５ii）の第二レンズ装着部（１３ｂ２）に形成されていれば、第二ＯＢＬ３２の光軸は、光ディスクのラジアル方向Ｄｒに沿って精度よく容易に調整される。レンズホルダ（５ii）の第二レンズ装着部（１３ｂ２）の光軸角度調整部（１３２）に設けられた一対の略平面状傾斜面部に第二ＯＢＬ３２が合わされつつ、光ディスクのラジアル方向Ｄｒに沿った第二ＯＢＬ３２の光軸角度調整が行われる。従って、第一ＯＢＬ３１の光軸に対する第二ＯＢＬ３２の光軸のラジアル方向Ｄｒに沿った角度調整は、精度よく容易に行われる。
【０１６６】
第一ＯＢＬ３１に対する第二ＯＢＬ３２の角度調整は、レンズホルダ５iiを下から支えた状態で、第二ＯＢＬ３２の上面を治具で押す等して行われる。第二ＯＢＬ３２を上からゴニオステージ（図示せず）に取り付けたヘッド（図示せず）などで押さえながら、第二ＯＢＬ３２の角度調整を行う。
【０１６７】
接着剤（図示せず）が用いられて、レンズホルダ５ii（図４，図５）に、第一ＯＢＬ３１および第二ＯＢＬ３２（図３）が固定される。接着剤が用いられることにより、第一ＯＢＬ３１および第二ＯＢＬ３２は、レンズホルダ５iiに確実に固定される。
【０１６８】
レンズホルダ５ii（図４，図５）の第一ピース１０iiの基準部１３０に備えられた第一ＯＢＬ３１の周縁部３１ｄからレンズホルダ５iiの第一ピース１０iiの基準部１３０にかけて接着剤が点付け状態で塗布されて、レンズホルダ５iiの第一ピース１０iiの基準部１３０に、第一ＯＢＬ３１が接着固定される。また、レンズホルダ５iiの第一ピース１０iiの光軸角度調整部１３２に備えられた第二ＯＢＬ３２（図３）の周縁部３２ｄからレンズホルダ５ii（図４，図５）の第一ピース１０iiの光軸角度調整部１３２における斜面部１３ｓ１，１３ｓ２にかけて接着剤が点付け状態で塗布されて、レンズホルダ５iiの第一ピース１０iiの光軸角度調整部１３２に、第二ＯＢＬ３２が接着固定される。
【０１６９】
接着剤として、光などの電子線が照射されることで硬化する上記電子線硬化型接着剤が用いられた。具体的に説明すると、接着剤として、紫外線が照射されることで硬化する上記紫外線硬化型接着剤が用いられた。
【０１７０】
これにより、第一ＯＢＬ３１および第二ＯＢＬ３２は、レンズホルダ５iiを構成する第一ピース１０iiに精度よく迅速に固定される。レンズホルダ５iiを構成する第一ピース１０iiの基準部１３０に第一ＯＢＬ３１が精度よく固定されることにより、光ディスクの信号面部に精度よくレーザ光が照射される。また、レンズホルダ５iiを構成する第一ピース１０iiの光軸角度調整部１３２に第二ＯＢＬ３２が精度よく固定されることにより、光ディスクの信号面部に精度よくレーザ光が照射される。また、レンズホルダ５iiを構成する第一ピース１０iiに第一ＯＢＬ３１および第二ＯＢＬ３２が迅速に固着されることにより、レンズホルダ５iiを構成する第一ピース１０iiに対する第一ＯＢＬ３１および第二ＯＢＬ３２の接着作業は速やかに行われる。従って、ＯＰＵ１iiの組立工程における接着工程が迅速化される。ＯＰＵ１iiの組立方法は、効率よく迅速に行われる。また、これに伴って、ＯＰＵ１iiの価格低減化が図られる。
【０１７１】
上記ＯＰＵ１iiは、光ディスク装置（図示せず）に内装される。光ディスク装置は、上記ＯＰＵ１iiを備えるものとして構成される。
【０１７２】
これにより、レンズホルダ５iiに第一ＯＢＬ３１および第二ＯＢＬ３２が精度よく取り付けられて構成されたＯＰＵ１ii付の光ディスク装置を提供することが可能となる。光ディスク装置に各種光ディスク（図示せず）が挿入されて、光ディスクのデータが読み出されたり、光ディスクにデータが書き込まれたりされるときに、第一ＯＢＬ３１に対する第二ＯＢＬ３２の光軸の角度差を少なく抑えたＯＰＵ１iiが、光ディスク装置に装備されるので、各種光ディスクからのデータの読出しや、各種各光ディスクに対するデータの書込みは、ＯＰＵ１iiを備える光ディスク装置にて正常に行われる。
【０１７３】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。
【符号の説明】
【０１７４】
１ｉ，１ii              ＯＰＵ（光ピックアップ装置）
５ｉ，５ii              レンズホルダ
５ａ                    下側開口部（開口部）
５ｂ                    本体
５ｃ                    上側部
５ｄ                    下側部
５ｅ                    側面部
５ｆ                    骨組部
５ｍ，５ｎ              光通過空間部（光通過部）
５ｖ                    ワイヤ装着部
５ｗ                    ワイヤ取付孔
１０ｉ，１０ii          第一ピース
１１，１２              第一コイル装着部（コイル装着部）
１３０                  基準面部（基準部）
１３１，１３２           光軸角度調整部（調整部）
１３ａ                  第一レンズ装着部（レンズ装着部）
１３ｂ１，１３ｂ２       第二レンズ装着部（レンズ装着部）
１３ｅ                  上側周縁端部（周縁端部）
１３ｒ                  鍔部
１３ｓ                  球面座部（球座部）
１３ｓ１，１３ｓ２       傾斜面部（斜面部）
１３ｔ                  頂部
２０                    第二ピース
２３，２４，２５，２６  第二コイル装着部（コイル装着部）
３１，３２              ＯＢＬ（対物レンズ）
３１ａ                  取付面部（取付部）
３１ｄ，３２ｄ          周縁部
３１ｅ，３２ｅ          下側周縁端部（周縁端部）
３１ｎ，３２ｎ          上側基準面部（基準面部）
３２ｂ                  取付部
４１，４２，４３，４４，４５，４６  駆動用コイル（コイル）
Ｄａ                    アキシャル方向（方向）
Ｄｒ                    ラジアル方向（方向）
Ｄｔ                    タンジェンシャル方向（方向）
αｓ１，αｓ２，αｔ       角度
【図１】
2011222118.tif 000003
【図２】
2011222118.tif 000004
【図３】
2011222118.tif 000005
【図４】
2011222118.tif 000006
【図５】
2011222118.tif 000007
【図６】
2011222118.tif 000008